(57)【特許請求の範囲】
【請求項１】
電池駆動機器と接続して、該電池駆動機器に内蔵される機器側二次電池に給電可能な電池パックであって、
厚さよりも幅を大きくした絶縁性の板状の、上面と、前記上面と反対側の下面と、前記上面と下面との間に位置する第一側面と、前記第一側面と交差した第二側面と、前記第一側面と反対側の第三側面と、前記第三側面と交差した第四側面とを有する本体ケースと、
前記本体ケースに内蔵される板状の充電可能な一以上の二次電池セルと、
前記本体ケースの上面を被覆する金属製の上プレートと、
前記本体ケースの下面を被覆する金属製の下プレートと、
前記二次電池セルと電気的に接続された回路基板と、
前記回路基板に実装され、前記二次電池セルと電気的に接続され、該二次電池セルを放電した電力を外部に出力するためのコネクタ部と、
を備え、
前記二次電池セルは、前記本体ケース内で前記第三側面と面するように配置される一方、前記第一側面と離間させており、
前記回路基板は、前記本体ケース内で前記二次電池セルと第一側面との間に配置されており、
前記上プレートは、前記本体ケースの上面を被覆する第一平面部から連続して、前記第二側面、第三側面、第四側面を被覆する側面被覆部を一体的に設けており、
前記側面被覆部は、前記本体ケースの矩形状の四隅を被覆する端縁被覆部を含んでおり、
前記本体ケースの第一側面において、左右を前記端縁被覆部で被覆すると共に、該端縁被覆部の間で側面被覆部を開口して、開口部分に前記コネクタ部を位置させてなることを特徴とする電池パック。
【請求項２】
請求項１に記載の電池パックであって、
前記本体ケースの第一側面に、前記二次電池セルの放電を操作する操作部及び充放電状態を示す表示部を設けてなることを特徴とする電池パック。
【請求項３】
請求項１又は２に記載の電池パックであって、
前記本体ケースは、前記第一側面に面して配置される前記回路基板を当接する基板用リブを設けてなることを特徴とする電池パック。
【請求項４】
請求項１から３のいずれか一に記載の電池パックであって、
前記二次電池セルが複数、隣接して前記本体ケース内に配置されており、
前記本体ケースは、前記二次電池セル同士の間に介在される、絶縁性及び断熱性を有する電池用リブを設けてなることを特徴とする電池パック。
【請求項５】
請求項１から４のいずれか一に記載の電池パックであって、
前記本体ケースの対向する第二側面と第四側面との距離が、第一側面と第三側面との距離よりも長く、
前記上プレートは、前記第二側面を被覆する側面被覆部及び前記第四側面を被覆する側面被覆部の端縁において、前記本体ケース側に突出して係止するプレートリブを設けており、
前記本体ケースは、前記プレートリブを係止するための係止溝を形成してなることを特徴とする電池パック。
【請求項６】
請求項１から５のいずれか一に記載の電池パックであって、
前記下プレートの端縁の複数の位置に、折曲されたカバー突起をそれぞれ設けており、
前記本体ケースは、前記カバー突起を挿入するための複数のスリットを開口しており、
前記カバー突起をスリットに挿入した状態で、該カバー突起を折曲して前記下プレートを本体ケースに固定してなることを特徴とする電池パック。
【請求項７】
請求項６に記載の電池パックであって、
前記本体ケースは、前記スリットの周囲に箱形リブを設けてなることを特徴とする電池パック。
【請求項８】
請求項１から７のいずれか一に記載の電池パックであって、
前記回路基板は、前記コネクタ部の外形に沿った切り欠きを形成しており、
前記コネクタ部が、前記回路基板の切り欠きに配置されてなることを特徴とする電池パック。
【請求項９】
請求項１から８のいずれか一に記載の電池パックであって、
前記側面被覆部が、前記第二側面を被覆する第二側面被覆部と、前記第三側面を被覆する第三側面被覆部と、前記第四側面を被覆する第四側面被覆部と、を含むことを特徴とする電池パック。
【請求項１０】
請求項１から９のいずれか一に記載の電池パックであって、さらに、
前記上プレート又は下プレートを、本体ケースに貼付するための両面テープを備えてなることを特徴とする電池パック。
【請求項１１】
請求項１から１０のいずれか一に記載の電池パックであって、
前記二次電池セルが、リチウムポリマー電池であることを特徴とする電池パック。
【発明の詳細な説明】
【技術分野】
【０００１】
本発明は、充電できる内蔵電池を備え、さらに外部に接続される電池駆動機器に電力を供給するコネクタを備える携帯式の電池パックに関する。
【背景技術】
【０００２】
内部に一対の円筒形電池を内蔵する電池パックは開発されている（特許文献１参照）。この公報に示す電池パックは、携帯式の電源として使用されるパック型のもので、その分解斜視図を図２０に示している。この電池パックは、一対の円筒形電池９０１の間に絶縁ホルダー９０３を配置して、この絶縁ホルダー９０３でもって円筒形電池９０１と基板回路９０４とを定位置に配置して電池組立９０９とし、この電池組立９０９を外装ケース９０２に収納している。
【０００３】
この電池パックは、円筒形電池を使用するため厚型となる。また、板状のスレートＰＣ（タブレット端末）が普及するに至り、このようなタブレット端末と一緒に携行可能な薄型の電池パックも求められている。薄型の電池パックにおいては、円筒形電池に代わってリチウムポリマー電池等が用いられる。このようなリチウムポリマー電池は円筒形電池と異なり、金属製の外装缶を有しないため、外力等から保護するための機構が必要となる。
【０００４】
しかしながら、電池パックを薄型化するにつれて、機械的な強度も低下する。一方、ケースを樹脂製に代えて金属製として強度を増すことも考えられるが、出力端子等の絶縁を図るため、これら端子を設ける面は金属製とすることができない。
【先行技術文献】
【特許文献】
【０００５】
【特許文献１】特開２００９−１３１０８９号公報
【発明の概要】
【発明が解決しようとする課題】
【０００６】
本発明は、従来のこのような問題点を解決するためになされたものである。本発明の主な目的は、外観を薄型化しつつも内蔵する二次電池の保護を図ることのできる電池パックを提供することにある。
【課題を解決するための手段及び発明の効果】
【０００７】
上記の目的を達成するため、本発明の第１の側面に係る電池パックによれば、電池駆動機器と接続して、該電池駆動機器に内蔵される機器側二次電池に給電可能な電池パックであって、厚さよりも幅を大きくした絶縁性の板状の、上面と、前記上面と反対側の下面と、前記上面と下面との間に位置する第一側面と、前記第一側面と交差した第二側面と、前記第一側面と反対側の第三側面と、前記第三側面と交差した第四側面とを有する本体ケースと、前記本体ケースに内蔵される板状の充電可能な一以上の二次電池セルと、前記本体ケースの上面を被覆する金属製の上プレートと、前記本体ケースの下面を被覆する金属製の下プレートと、前記二次電池セルと電気的に接続された回路基板と、前記回路基板に実装され、前記二次電池セルと電気的に接続され、該二次電池セルを放電した電力を外部に出力するためのコネクタ部と、を備え、前記二次電池セルは、前記本体ケース内で前記第三側面と面するように配置される一方、前記第一側面と離間させており、前記回路基板は、前記本体ケース内で前記二次電池セルと第一側面との間に配置されており、前記上プレートは、前記本体ケースの上面を被覆する第一平面部から連続して、前記第二側面、第三側面、第四側面を被覆する側面被覆部を一体的に設けており、前記側面被覆部は、前記本体ケースの矩形状の四隅を被覆する端縁被覆部を含んでおり、前記本体ケースの第一側面において、左右を前記端縁被覆部で被覆すると共に、該端縁被覆部の間で側面被覆部を開口して、開口部分に前記コネクタ部を位置させることができる。
【０００８】
上記構成により、電池パックの外観を薄型としつつも、金属製の上プレートと下プレートで本体ケースを被覆し、さらに厚さ方向に側面被覆部を設けることで、本体ケースの撓りに対する剛性を増し、機械的強度を向上させることができる。その一方で、第一側面を開口してコネクタ部を設けることで、外部機器との電気接続が阻害されないようにする一方、側面被覆部を開口させた第一側面と二次電池とを離間させ、かつ側面被覆部で補強した第三側面側に二次電池を配置することで、本体ケースに外力が加えられても、側面被覆部でもって二次電池を保護できる。
【０００９】
また、第２の側面に係る電池パックによれば、前記本体ケースの第一側面に、前記二次電池セルの放電を操作する操作部及び充放電状態を示す表示部を設けることができる。
【００１０】
上記構成により、入出力コネクタを含め必要な部材をすべて第一側面に配置することで、第二側面、第三側面、第四側面をすべて上プレートで被覆することが可能となり、三面を金属製の板材で被覆することによって機械的強度を向上できる。
【００１１】
さらにまた、第３の側面に係る電池パックによれば、前記本体ケースは、前記第一側面に面して配置される前記回路基板を当接する基板用リブを設けることができる。
【００１２】
上記構成により、金属製の側面被覆部を設けていない第一側面側を、基板用リブでもって補強でき、これにより本体ケースの変形を防ぎ外力から二次電池セルを保護できる。
【００１３】
さらにまた、第４の側面に係る電池パックによれば、前記二次電池セルが複数、隣接して前記本体ケース内に配置されており、前記本体ケースは、前記二次電池セル同士の間に介在される、絶縁性及び断熱性を有する電池用リブを設けることができる。
【００１４】
上記構成により、隣接して配置される二次電池セル間の断熱性を高め、一の二次電池セルが高温になっても、他の二次電池セルに影響が及ぶことを抑制できる。
【００１５】
さらにまた、第５の側面に係る電池パックによれば、前記本体ケースの対向する第二側面と第四側面との距離が、第一側面と第三側面との距離よりも長く、前記上プレートは、前記第二側面を被覆する側面被覆部及び前記第四側面を被覆する側面被覆部の端縁において、前記本体ケース側に突出して係止するプレートリブを設けており、記本体ケースは、前記プレートリブを係止するための係止溝を形成することができる。
【００１６】
上記構成により、上プレートを確実に本体ケースと固定できる。特に電池パックが長手方向で撓るように外力を受けても、両側で対向する第二側面被覆部と第四側面被覆部とにおいてプレートリブが係止溝に一層食い込むように作用するため、上プレートが本体ケースから外れ難くでき、もって内蔵する二次電池セルの保護を図り信頼性を高めることができる。
【００１７】
さらにまた、第６の側面に係る電池パックによれば、前記下プレートの端縁の複数の位置に、折曲されたカバー突起をそれぞれ設けており、前記本体ケースは、前記カバー突起を挿入するための複数のスリットを開口しており、前記カバー突起をスリットに挿入した状態で、該カバー突起を折曲して前記下プレートを本体ケースに固定することができる。
【００１８】
上記構成により、下プレートを本体ケースに容易に固定できる。
【００１９】
さらにまた、第７の側面に係る電池パックによれば、前記本体ケースは、前記スリットの周囲に箱形リブを設けることができる。
【００２０】
上記構成により、箱形リブでカバー突起を囲むことによって、回路基板との距離を稼ぎ、沿面放電を抑制でき回路基板を保護できる。
【００２１】
さらにまた、第８の側面に係る電池パックによれば、前記回路基板は、前記コネクタ部の外形に沿った切り欠きを形成しており、前記コネクタ部を、前記回路基板の切り欠きに配置することができる。
【００２２】
上記構成により、コネクタ部を回路基板上に実装する構成に比べ、回路基板の厚み分だけ電池パックを薄型化できる利点が得られる。
【００２３】
さらにまた、第９の側面に係る電池パックによれば、前記側面被覆部が、前記第二側面を被覆する第二側面被覆部と、前記第三側面を被覆する第三側面被覆部と、前記第四側面を被覆する第四側面被覆部と、を含むことができる。
【００２４】
さらにまた、第１０の側面に係る電池パックによれば、さらに前記上プレート又は下プレートを、本体ケースに貼付するための両面テープを備えることができる。
【００２５】
さらにまた、第１１の側面に係る電池パックによれば、前記二次電池セルを、リチウムポリマー電池とできる。
【図面の簡単な説明】
【００２６】
【図１】本発明の実施の形態１に係る電池パックを示す斜視図である。
【図２】図１の電池パックを斜め下方から見た斜視図である。
【図３】図１の電池パックで電池駆動機器を充電する様子を示す斜視図である。
【図４】図１の電池パックを外部電源でもって充電する様子を示す斜視図である。
【図５】図１から上プレートを外した状態を示す分解斜視図である。
【図６】図５を背面から見た分解斜視図である。
【図７】図１の電池パックから上プレートを外した状態を示す分解斜視図である。
【図８】図７の電池パックからさらに下プレートを外した状態を示す分解斜視図である。
【図９】図８の電池パックを斜め下方から見た分解斜視図である。
【図１０】本体ケースの内部を示す斜視図である。
【図１１】回路基板からコネクタ部を外した状態を示す分解平面図である。
【図１２】図１の電池パックのＸＩＩ−ＸＩＩ線における垂直断面図である。
【図１３】電池パックの内部を示す平面図である。
【図１４】図１の電池パックのＸＩＶ−ＸＩＶ線における垂直断面図である。
【図１５】図１４の電池パックから上プレートを外した状態を示す分解斜視図である。
【図１６】図１４の電池パックを撓ませた状態を示す模式断面図である。
【図１７】本体ケースに基板用リブを設けた様子を示す斜視図である。
【図１８】図２の電池パックから下プレートを外した状態を示す分解斜視図である。
【図１９】図１３の爪の部分を示す拡大斜視図である。
【図２０】従来の電池パックの分解斜視図である。
【発明を実施するための形態】
【００２７】
以下、本発明の実施の形態を図面に基づいて説明する。ただし、以下に示す実施の形態は、本発明の技術思想を具体化するための電池パックを例示するものであって、本発明は電池パックを以下のものに特定しない。さらに、本明細書においては、特許請求の範囲を理解しやすいように、実施例に示される部材に対応する番号を、「特許請求の範囲」及び「課題を解決するための手段の欄」に示される部材に付記している。ただ、特許請求の範囲に示される部材を、実施の形態の部材に特定するものでは決してない。特に実施の形態に記載されている構成部材の寸法、材質、形状、その相対的配置等は、特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
（実施例１）
【００２８】
以下、実施例１として、電池駆動機器へ電力を供給できる電池パックについて、図１〜図４に基づいて説明する。これらの図において、図１は本発明の実施の形態１に係る電池パック１００を示す斜視図、図２は図１の電池パック１００を斜め下方から見た斜視図、図３は図１の電池パック１００で電池駆動機器ＢＤを充電する様子を示す斜視図、図４は図１の電池パック１００を外部電源でもって充電する様子を示す斜視図を、それぞれ示している。この電池パック１００は、図１及び図２に示すように板状の外形としており、内部に二次電池セル１を複数内蔵している。そして図３に示すようにＵＳＢケーブル等を介して充電対象の電池駆動機器ＢＤを接続して、二次電池セル１を放電されることでこの電池駆動機器ＢＤを充電する。また図４に示すように、ＡＣアダプタ等の外部電源とＵＳＢケーブル等を介して接続して、内蔵する二次電池セル１を充電する。
（電池駆動機器ＢＤ）
【００２９】
電池駆動機器ＢＤは、機器側二次電池を内蔵しており、機器側二次電池によって駆動される。このような電池駆動機器ＢＤは、例えばスレートＰＣ、スマートフォン、携帯電話等が利用できる。この例では、スレートＰＣとしている。スレートＰＣのような板状の外形を有する電池駆動機器ＢＤに対して、同じく板状の電池パック１００とすることで、携行を容易にしている。電池パック１００は、このような電池駆動機器ＢＤに内蔵されている機器側二次電池を充電する。このため、電池パック１００は電池駆動機器ＢＤと電気的に接続するためのコネクタ部を備えている。
（電池パック１００）
【００３０】
図５〜図９に、電池パック１００の分解斜視図を示す。これらの図において、図５は図１から上プレート２１を外した状態を示す分解斜視図、図６は図５を背面から見た分解斜視図、図７は図１の電池パック１００から上プレート２１を外した状態を示す分解斜視図、図８は図７の電池パック１００からさらに下プレート２２を外した状態を示す分解斜視図、図９は図８の電池パック１００を斜め下方から見た分解斜視図を、それぞれ示している。これらの図に示すように、電池パック１００は本体ケース１０と、上プレート２１と、下プレート２２を備える。
（本体ケース１０）
【００３１】
本体ケース１０は、その厚さよりも幅を大きくした板状に形成している。板状の本体ケース１０は平面視矩形状の上面と、上面と反対側の下面と、上面と下面との間に位置する第一側面と、第一側面と交差した第二側面と、前記第一側面と反対側の第三側面と、第三側面と交差した第四側面とを有している。ここでは、第一側面と第三側面が平行で、また第二側面と第四側面が平行となるように配置される。また隣接する第一側面と第二側面、第二側面と第三側面、第三側面と第四側面はそれぞれほぼ直交する。さらに第一側面を第二側面よりも長くしている。いいかえると、第二側面と第四側面との距離を、第一側面と第三側面との距離よりも長くしている。
【００３２】
本体ケース１０は、図８〜図９に示すように上ケース１１と下ケース１２に二分割され、ねじ等により固定されている。また本体ケース１０は絶縁性の材質で構成する。例えば、ポリカーボネート等の樹脂製とする。この本体ケース１０内には、二次電池セル１と、回路基板３０を収納している。
（二次電池セル１）
【００３３】
二次電池セル１は、リチウムポリマー電池とする。この二次電池セル１も、その厚さよりも幅を大きくした板状の外形としている。このような板状すなわち薄型の二次電池セル１は、同一平面上に横に並べることで電池パック１００の外形も薄型化できる。いいかると、二次電池セル１の厚さを薄くすることで電池パック１００の厚さを薄くできる。
【００３４】
ここでは、３個のリチウムポリマー電池を、本体ケース１０内に並べて配置している。これらリチウムポリマー電池は、３個を直列に接続し、回路基板３０に実装された給電制御回路で充放電を制御される。これにより、電池パック１００は、電池駆動機器ＢＤ５０が要求する電力を供給可能としている。
【００３５】
この例では、二次電池セル１を３個使用した例を説明しているが、本発明は二次電池セルの個数を限定せず、２個以下、又は４個以上とすることもできる。ここでは、使用する二次電池セルの大きさを、規定のサイズとして、使用する二次電池セルの個数を調整することで様々な大きさの本体ケースや求められる容量に対応させている。この方式であれば、異なる要求仕様に対して柔軟に対応できる利点が得られる。ただ、本体ケースに応じた大きさ及び仕様で１個の二次電池セルを個別に設計することもできる。
（回路基板３０）
【００３６】
回路基板３０は、二次電池セル１と電気的に接続されており、二次電池セル１の充放電を制御するための給電制御回路を実装している。さらに、給電制御回路で制御された二次電池セル１の出力を外部に取り出すためのコネクタ部１４も実装している。コネクタ部１４は、本体ケース１０の第一側面から表出するように配置されている。
（上プレート２１）
【００３７】
上プレート２１は、本体ケース１０の上面を被覆する。この上プレート２１は、金属製とする。金属製の上プレート２１は、軽量で熱伝導性に優れたアルミニウム製とすることが好ましい。また表面にアルミのアルマイト処理を施すことで、外観を美しくできる。
（下プレート２２）
【００３８】
一方、下プレート２２は本体ケース１０の下面を被覆する。この下プレート２２も、上ケース１１と同じ材質で構成する。
（側面被覆部）
【００３９】
上プレート２１は、平板状の第一平面部２１ａを有している。第一平面部２１ａは、本体ケース１０の上面を被覆するよう、本体ケース１０正面とほぼ同じ大きさに形成される。また第一平面部２１ａの周囲から本体ケース１０の第二側面、第三側面、第四側面を被覆する側面被覆部を延長させている。いいかえると本体ケース１０の第一側面を除く側面を側面被覆部で被覆している。また側面被覆部は、本体ケース１０の矩形状の四隅を被覆する端縁被覆部２１ｅを含んでいる。そして本体ケース１０の第一側面においては、その左右を端縁被覆部２１ｅで被覆する一方、端縁被覆部２１ｅの間で側面被覆部を開口している。そしてこの開口部分にコネクタ部１４が配置されるようにしている。
【００４０】
またコネクタ部１４に限らず、操作部１６、表示部１７、給電コネクタ１５等の必要な部材はすべて第一面に設けることが好ましい。このようにすることで、第二側面、第三側面、第四側面をすべて上プレート２１で被覆することが可能となり、本体ケース１０の周囲四面の内、三面を金属製の板材で被覆することによって機械的強度を向上できる。
（コネクタ部１４）
【００４１】
図１等に示すように、第一側面には、コネクタ部１４と操作部１６と表示部１７を設けている。コネクタ部１４は、二次電池セル１の出力を外部に取り出すための端子である。コネクタ部１４は規格化された端子を用いることが汎用性の点から好ましく、ここではＵＳＢ（商標）端子（Ａタイプ）を用いている。
【００４２】
またコネクタ部１４を実装する回路基板３０は、図１０の斜視図及び図１１に示すようにコネクタ部１４の外形に沿った切り欠きを形成している。このようにコネクタ部１４を、回路基板３０の上面でなく、切り欠きに配置することで、コネクタ部１４を回路基板３０上に実装する構成に比べて、回路基板３０の厚み分だけ電池パック１００を薄型化できる利点が得られる。
（操作部１６）
【００４３】
操作部１６は、電池パック１００の放電を開始する操作ボタンを有している。操作ボタンを押下すると、二次電池セル１の放電が開始され、コネクタ部１４に接続された電池駆動機器ＢＤに対して給電が行われる。
（表示部１７）
【００４４】
表示部１７は、二次電池セル１の充放電状態を示すための部材である。ここでは、ＬＥＤ等の点灯パターンや発光色によって、二次電池セル１が充電状態、放電状態のいずれであるかを表示する。また、複数のＬＥＤの点灯数によって、残容量を表示させることもできる。
（給電コネクタ１５）
【００４５】
さらに、外部の電源から、二次電池セル１を充電するための電力を受けるための給電コネクタ１５も、第一側面に設けている。給電コネクタ１５も規格化された端子とすることが利便性の観点から好ましく、ここではマイクロＵＳＢ（商標）端子としている。
【００４６】
このように、必要な部材をすべて第一側面に纏めて配置することで、他の面を金属製の上プレート２１で被覆でき、本体ケース１０を補強して、内部の二次電池セル１の保護を高めることができる。３個の二次電池セル１は、図８及び図１２、図１３に示すように本体ケース１０内で第三側面と面するように配置される。いいかえると、第一側面とは離間されており、第一側面と二次電池セル１との間に回路基板３０が配置される。このように配置することで、金属製の上プレート２１の第一平面部２１ａ、第二側面被覆部２１ｂ、第三側面被覆部２１ｃ、第四側面被覆部２１ｄ、及び下プレート２２で二次電池セル１を囲んで、これを強固に保護することができる。
（プレートリブ２１ｆ）
【００４７】
さらに側面被覆部は、上プレート２１を本体ケース１０に固定するためのプレートリブ２１ｆを設けている。プレートリブ２１ｆは、第二側面被覆部２１ｂ及び第四側面被覆部２１ｄの端縁において、本体ケース１０側に突出させている。ここでは図６に示すように、第二側面被覆部２１ｂ及び第四側面被覆部２１ｄの端縁を折曲させて、プレートリブ２１ｆ同士が対向する姿勢となるように、いいかえると本体カバーの第一側面を両側から挟み込むように形成される。
（係止溝１３）
【００４８】
一方、本体ケース１０は、図５及び図６に示すように、第二側面及び第四側面のプレートリブ２１ｆと対応する位置に、プレートリブ２１ｆを係止するための係止溝１３を形成している。この係止溝１３に、図１４の断面図及び図１５の分解図に示すようにプレートリブ２１ｆを係止することで、上プレート２１を本体ケース１０に確実に固定できる。特に図１６に示すように、電池パック１００が長手方向で撓るように外力を受けても、両側で対向する第二側面被覆部２１ｂと第四側面被覆部２１ｄとにおいてプレートリブ２１ｆが係止溝１３に一層食い込むように作用するため、上プレート２１が本体ケース１０から外れ難くでき、もって内蔵する二次電池セル１の保護を図り信頼性を高めることができる。また逆に電池パック１００の上方向から応力が印加された場合に、本体ケース１０が開く方向に変形しようとしても、後述するプレートリブ２１ｇによってこのような変形を阻止する効果が得られる。加えて、係止溝１３をプレートリブ２１ｆと対応する位置のみに設けることで、上プレート２１を本体ケース１０に対して逆向きに固定することを物理的に阻止して、組立時の取付方向のミスを回避できる効果も得られる。
【００４９】
プレートリブ２１ｆは、第二側面被覆部２１ｂ及び第四側面被覆部２１ｄの端縁の全面に設けることを必ずしも要しない。図６の例では、プレートリブ２１ｆは第二側面被覆部２１ｂ及び第四側面被覆部２１ｄの、第一側面側の端縁被覆部２１ｅから約１／２を超える長さまで延長されている。このようにプレートリブ２１ｆは、第二側面被覆部２１ｂ及び第四側面被覆部２１ｄの端縁の１／２以上の長さとする。このように半分以上をプレートリブ２１ｆを係止溝１３に係止することで、上ケース１１の本体ケース１０への十分な固定が図られる。
【００５０】
またプレートリブ２１ｆを第二側面被覆部２１ｂ及び第四側面被覆部２１ｄの全面に設けない場合、第一側面側に偏心させて設けることが好ましい。これによって、第一側面を側面被覆部で被覆しない構成としつつも、第二側面及び第四側面の、第一側面側をプレートリブ２１ｆで固定することにより、第一側面での変形を抑止する効果を高め、二次電池セル１の保護を図ることができる。
【００５１】
さらに、図６等に示すように第三側面被覆部２１ｃにも、プレートリブ２１ｇを設けることができる。また本体ケース１０側にも、これに応じて係止溝１３が形成される。これにより上プレート２１の両側のみならず、長手方向に沿ってガイドを設けることができ、一層たわみに対する剛性を高めることができる。
（電池用リブ１８）
【００５２】
また本体ケース１０内には、二次電池セル１を配置するための電池配置空間を画定する電池用リブ１８が設けられている。電池用リブ１８は絶縁性及び断熱性を有する材質で構成され、好ましくは、本体ケース１０と一体成形される。このように隣接する二次電池セル１同士の間に電池用リブ１８を設けて区画することで、絶縁性と断熱性を高め安全性を向上できる。例えば、一の二次電池セル１が高温になっても、他の二次電池セル１に影響が及ぶことが抑制される。
（基板用リブ１９）
【００５３】
本体ケース１０はさらに、図１７に示すように、第一側面に面して配置される回路基板３０を当接する基板用リブ１９を設けている。基板用リブ１９は、回路基板３０の上下面を当接するように、上ケース１１と下ケース１２にそれぞれ設けられる。すなわち、上ケース１１の基板用リブ１９と下ケース１２の基板用リブ１９とは、互いに回路基板３０を介して当接するように、相補的なパターンに形成することが好ましい。これにより、金属製の側面被覆部を設けていない第一側面側を、基板用リブ１９でもって補強でき、これにより本体ケース１０の変形を防ぎ外力から二次電池セル１を保護できる。基板用リブ１９のパターンは、これに限らず、回路基板３０を支承でき、かつ第一側面の側を補強可能な任意のパターンに形成できる。
（カバー突起２３）
【００５４】
一方下プレート２２は、図１８の分解斜視図に示すように、端縁の複数箇所にカバー突起２３を設けている。カバー突起２３は爪状に形成され、本体ケース１０に設けたスリット２４に挿入することで下プレート２２を本体ケース１０に固定できる。
【００５５】
カバー突起２３は、下プレート２２の端縁から突出して形成された突出片を折曲して設けられている。ここでは先端を二股状に分岐した形状に形成している。また下ケース１２の内、第一側面と面する側で中央に１箇所、第三側面と面する位置で２箇所、設けられている。またスリット２４に挿入した後、好ましくはケース本体内に突出されたカバー突起２３を折曲することで、下プレート２２を本体ケース１０と固定できる。
（スリット２４）
【００５６】
図１８に示すように、本体ケース１０は、上述の通りカバー突起２３と対応する位置にスリット２４をそれぞれ設けている。さらに本体ケース１０の内部には、図１９に示すように箱形リブ２５を形成している。箱形リブ２５は、スリット２４の周囲を囲むように形成される。この箱形リブ２５は絶縁性の部材で構成され、好ましくは下ケース１２と一体成形で形成される。
【００５７】
このようにしてカバー突起２３の周囲を絶縁性の箱形リブ２５で囲むことによって、金属製のカバー突起２３が回路基板３０と近接して放電を生じる事態を回避できる。すなわち、絶縁性の箱形リブ２５で囲むことで回路基板３０との距離が長くなり、沿面放電を抑制して回路基板３０を保護できる。加えて、箱形のリブは機械的強度も向上するための、下プレート２２と本体ケース１０の連結部分を補強し、捻れ等の応力に対して機械的な耐性を高めることができる。
（両面テープ４２）
【００５８】
さらに上プレート２１と下プレート２２は、本体ケース１０の上ケース１１と下ケース１２に対して、それぞれ両面テープ４２でもって固定される。これにより、一層確実にこれらの金属製の補強プレートを本体ケース１０に固定でき、本体ケース１０に対して捻り等の外力が加えられた際の剛性を高めることができる。なお、この例では両面テープ４２を４枚に分割して貼付しているが、貼付工程を簡素化するため、大きな両面テープを１枚貼付するように構成してもよいことはいうまでもない。
【００５９】
このような構成により、電池パック１００の外観を薄型としつつも、金属製の上プレート２１と下プレート２２で本体ケース１０を被覆し、さらに厚さ方向に側面被覆部を設けることで、本体ケース１０の撓りに対する剛性を増し、機械的強度を向上させることができる。その一方で、第一側面を開口してコネクタ部１４を設けることで、外部機器との電気接続が阻害されないようにする一方、側面被覆部を開口させた第一側面と二次電池とを離間させ、かつ側面被覆部で補強した第三側面側に二次電池を配置することで、本体ケース１０に外力が加えられても、側面被覆部でもって二次電池を保護できる。
【産業上の利用可能性】
【００６０】
本発明に係る電池パックは、ＵＳＢ充電が可能なスレートＰＣ、スマートフォン、携帯電話機、携帯音楽プレーヤ、携帯録音機等の電池駆動機器に接続して充電可能な出力コネクタを備える電池パックやブースターとして、好適に利用できる。
【符号の説明】
【００６１】
１００…電池パック
１…二次電池セル
１０…本体ケース
１１…上ケース
１２…下ケース
１３…係止溝
１４…コネクタ部
１５…給電コネクタ
１６…操作部
１７…表示部
１８…電池用リブ
１９…基板用リブ
２１…上プレート；２１ａ…第一平面部；２１ｂ…第二側面被覆部；２１ｃ…第三側面被覆部；２１ｄ…第四側面被覆部；２１ｅ…端縁被覆部
；２１ｆ、２１ｇ…プレートリブ
２２…下プレート
２３…カバー突起
２４…スリット
２５…箱形リブ
３０…回路基板
４２…両面テープ
９０１…円筒形電池
９０２…外装ケース
９０３…絶縁ホルダー
９０４…基板回路
９０９…電池組立
ＢＤ…電池駆動機器
【図１】
0005944203.tif 000002
【図２】
0005944203.tif 000003
【図３】
0005944203.tif 000004
【図４】
0005944203.tif 000005
【図５】
0005944203.tif 000006
【図６】
0005944203.tif 000007
【図７】
0005944203.tif 000008
【図８】
0005944203.tif 000009
【図９】
0005944203.tif 000010
【図１０】
0005944203.tif 000011
【図１１】
0005944203.tif 000012
【図１２】
0005944203.tif 000013
【図１３】
0005944203.tif 000014
【図１４】
0005944203.tif 000015
【図１５】
0005944203.tif 000016
【図１６】
0005944203.tif 000017
【図１７】
0005944203.tif 000018
【図１８】
0005944203.tif 000019
【図１９】
0005944203.tif 000020
【図２０】
0005944203.tif 000021